(57)【要約】【課題】数メートルから数十メートル以下の区域を対象にした情報配信サービスを、容易に実現することができるようにする。【解決手段】コンテンツ管理装置１１から転送されたコンテンツが送信装置１２から送信される。コンテンツの送信に用いられる電波は、３２２MHz以下の周波数の電波であって、３メートル離れた位置における電界強度が常に５００μV/m以下となるように出力レベルが調整される。送信装置１２からの電波を受信した中継装置２１−１，２１−２からコンテンツが再送信される。コンテンツの再送信に用いられる電波は、３２２MHzを超える周波数の電波であって、３メートル離れた位置における電界強度が常に３５μV/m以下となるように出力レベルが調整される。本発明は、ワンセグ放送対応の携帯機器のユーザを対象にしたサービスを実現するシステムに適用することができる。【選択図】図４
2010093542.tif 000002
【特許請求の範囲】
【請求項１】
送信装置と中継装置とからなる情報配信システムにおいて、
前記送信装置は、
３２２MHz以下の周波数の電波であって、前記中継装置が出力する電波より強い電波を使ってコンテンツを送信する送信手段を備え、
前記中継装置は、
前記送信装置が出力する電波の到達範囲内に設けられ、
前記送信装置から送信された前記コンテンツを受信する受信手段と、
前記受信手段により受信された前記コンテンツを、ワンセグ放送に使われる電波と同じ周波数の電波であって、３ｍ離れた位置における電界強度が３５μV/m以下となる電波を使って送信する送信手段と
を備える情報配信システム。
【請求項２】
送信装置と、前記送信装置が出力する電波の到達範囲内に設けられ、前記送信装置から送信されたコンテンツを受信し、受信した前記コンテンツを、ワンセグ放送に使われる電波と同じ周波数の電波であって、３ｍ離れた位置における電界強度が３５μV/m以下となる電波を使って送信する中継装置とからなる情報配信システムの前記送信装置において、
３２２MHz以下の周波数の電波であって、前記中継装置が出力する電波より強い電波を使って前記コンテンツを送信する送信手段を備える
送信装置。
【請求項３】
前記送信手段は、前記中継装置が出力する電波より強い電波として、３ｍ離れた位置における電界強度が５００μV/m以下となる電波を送信する
請求項２に記載の送信装置。
【請求項４】
前記送信手段は、３２２MHz以下の周波数の異なる複数の電波を使って、それぞれ異なるコンテンツを送信する
請求項２に記載の送信装置。
【請求項５】
他の送信装置が出力する電波の到達範囲内に設けられ、前記他の送信装置から送信されたコンテンツを受信し、受信した前記コンテンツを、ワンセグ放送に使われる電波と同じ周波数の電波であって、３ｍ離れた位置における電界強度が３５μV/m以下となる電波を使って送信する他の中継装置からの電波を受信する受信手段をさらに備え、
前記送信手段は、さらに、前記他の中継装置からの電波が前記受信手段により受信されることによって取得されたコンテンツを送信する
請求項２に記載の送信装置。
【請求項６】
３２２MHz以下の周波数の電波であって、中継装置自身が出力する電波より強い電波を使ってコンテンツを送信する送信装置が出力する電波の到達範囲内に設けられる中継装置において、
前記送信装置から送信された前記コンテンツを受信する受信手段と、
前記受信手段により受信された前記コンテンツを、ワンセグ放送に使われる電波と同じ周波数の電波であって、３ｍ離れた位置における電界強度が３５μV/m以下となる電波を使って送信する送信手段と
を備える中継装置。
【請求項７】
前記送信手段は、周波数の異なる複数の電波を使って、それぞれ異なるコンテンツを送信する
請求項６に記載の中継装置。
【発明の詳細な説明】
【技術分野】
【０００１】
本発明は、情報配信システム、送信装置、および中継装置に関し、特に、数メートルから数十メートル以下の区域を対象にした情報配信サービスを、容易に実現することができるようにした情報配信システム、送信装置、および中継装置に関する。
【背景技術】
【０００２】
近年、ワンセグ（商標）放送対応の携帯機器が普及してきている。ワンセグ放送は、UHF帯の４７０〜７１０MHzの帯域を１３〜５２Chの４０のチャンネルに分け、その１つのチャンネルの周波数帯域幅である６MHzを１３のセグメントに分割し、そのうちの１セグメント分の帯域を使って行われる携帯機器向けの放送である。
【０００３】
ワンセグ放送対応の携帯機器の普及に伴い、そのようなワンセグ放送対応の携帯機器を持つユーザ向けのサービスが提案、または実現されている。
【０００４】
例えば、特許文献１には、広いエリアを数キロメートル圏などのエリアに区切り、それぞれのエリアに特化した内容の放送を行うサービスが開示されている。また、特許文献２には、さらに狭い数百メートル程度のエリアを公営競馬場などに形成し、オッズ情報を配信するサービスが開示されている。
【０００５】
特許文献３には、屋外に設置されるアンテナにおいて受信された地上デジタル放送の信号を、家庭内の機器で３２２MHz以下の周波数の電波を使って再送信する技術が開示されている。
【特許文献１】特開２００７−２９５３４１号公報
【特許文献２】特開２００８−９７３８９号公報
【特許文献３】特開２００５−１２５８３号公報
【発明の開示】
【発明が解決しようとする課題】
【０００６】
特許文献１，２に開示されているような特定の区域を対象とした放送サービスは非常に有益な新しい形態のサービスではあるが、実際にサービスを開始しようとすると、無線局免許制度の整備や、既存の無線局の電波との混信回避のための新たな周波数の割り当てが必要となり、事業化には時間と費用を要する。
【０００７】
一方、特許文献３に開示されているデジタル放送の再送信については、技術的には、空間波を受信して再送信するために信号変動の影響を受けるといったような問題がある。また、法律的には、「再送信」であるために再送信についての権利者の同意を得る必要があり、さらには、公衆の場でそのような再送信を行ってよいものか、権利関係の問題がある。
【０００８】
本発明はこのような状況に鑑みてなされたものであり、数メートルから数十メートル以下の区域を対象にした情報配信サービスを、容易に実現することができるようにするものである。
【課題を解決するための手段】
【０００９】
本発明の情報配信システムは、送信装置と中継装置とからなる情報配信システムにおいて、前記送信装置は、３２２MHz以下の周波数の電波であって、前記中継装置が出力する電波より強い電波を使ってコンテンツを送信する送信手段を備える。また、前記中継装置は、前記送信装置が出力する電波の到達範囲内に設けられ、前記送信装置から送信された前記コンテンツを受信する受信手段と、前記受信手段により受信された前記コンテンツを、ワンセグ放送に使われる電波と同じ周波数の電波であって、３ｍ離れた位置における電界強度が３５μV/m以下となる電波を使って送信する送信手段とを備える。
【００１０】
本発明の送信装置は、３２２MHz以下の周波数の電波であって、中継装置が出力する電波より強い電波を使ってコンテンツを送信する送信手段を備える。
【００１１】
前記送信手段には、前記中継装置が出力する電波より強い電波として、３ｍ離れた位置における電界強度が５００μV/m以下となる電波を送信させることができる。
【００１２】
前記送信手段には、３２２MHz以下の周波数の異なる複数の電波を使って、それぞれ異なるコンテンツを送信させることができる。
【００１３】
他の送信装置が出力する電波の到達範囲内に設けられ、前記他の送信装置から送信されたコンテンツを受信し、受信した前記コンテンツを、ワンセグ放送に使われる電波と同じ周波数の電波であって、３ｍ離れた位置における電界強度が３５μV/m以下となる電波を使って送信する他の中継装置からの電波を受信する受信手段をさらに設けることができる。この場合、前記送信手段には、さらに、前記他の中継装置からの電波が前記受信手段により受信されることによって取得されたコンテンツを送信させることができる。
【００１４】
本発明の中継装置は、送信装置から送信されたコンテンツを受信する受信手段と、前記受信手段により受信された前記コンテンツを、ワンセグ放送に使われる電波と同じ周波数の電波であって、３ｍ離れた位置における電界強度が３５μV/m以下となる電波を使って送信する送信手段とを備える。
【００１５】
前記送信手段には、周波数の異なる複数の電波を使って、それぞれ異なるコンテンツを送信させることができる。
【００１６】
本発明の情報配信システムにおいては、送信装置により、３２２MHz以下の周波数の電波であって、中継装置が出力する電波より強い電波を使ってコンテンツが送信される。また、中継装置により、前記送信装置から送信された前記コンテンツが受信され、受信された前記コンテンツが、ワンセグ放送に使われる電波と同じ周波数の電波であって、３ｍ離れた位置における電界強度が３５μV/m以下となる電波を使って送信される。
【００１７】
本発明の送信装置においては、３２２MHz以下の周波数の電波であって、中継装置が出力する電波より強い電波を使ってコンテンツが送信される。
【００１８】
本発明の中継装置においては、送信装置から送信されたコンテンツが受信され、受信された前記コンテンツが、ワンセグ放送に使われる電波と同じ周波数の電波であって、３ｍ離れた位置における電界強度が３５μV/m以下となる電波を使って送信される。
【発明の効果】
【００１９】
本発明によれば、数メートルから数十メートル以下の区域を対象にした情報配信サービスを、容易に実現することができる。
【発明を実施するための最良の形態】
【００２０】
［電波の周波数と強度について］
図１は、電波の到達範囲について説明する図である。
【００２１】
ワンセグ送信機１は、ワンセグ放送で使われる電波と同じ周波数の電波を送信する機器である。ワンセグ送信機１が出力する電波は、数百メートル圏、数キロメートル圏を対象にするといったような強いものではなく、無線局の設置に免許を必要としない程度の微弱な電波である。以下、適宜、無線局の設置に免許を必要としない程度の強度の電波を単に微弱電波という。
【００２２】
図２は、電波の周波数と強度の関係を示す図である。
【００２３】
図２の横軸は周波数を表し、縦軸は強度を表す。図２に示すように、免許を要しない電波の強さが、その電波を出力する無線局から３ｍ離れた位置における電界強度として周波数に応じて規定されている。
【００２４】
例えば、０kHzから３２２MHz以下の周波数帯域においては、無線局から３ｍ離れた位置での電界強度が常に５００μV/m以下であれば免許は不要となる。
【００２５】
また、３２２MHzを超え、約１０GHz以下の周波数帯域においては、無線局から３ｍ離れた位置での電波の強度が常に３５μV/m以下であれば免許は不要となる。ISDB-T仕様の地上デジタル放送規格に基づくワンセグ放送に使われる電波の周波数はUHF帯の４７０〜７１０MHzであるので、それと同じ周波数の電波を使う場合、無線局から３ｍ離れた位置での強度が３５μV/m以下であれば免許は不要となる。
【００２６】
この電波強度の規定値と、一般的なワンセグ放送対応の携帯機器の受信感度によると、無線局から電波を受信できるエリアは理論計算値で半径２〜３ｍ程度のエリアであるが、現実的に安定した受信が可能なエリアは半径１ｍ程度のエリアになる。
【００２７】
ワンセグ送信機１を使ってサービスを提供するとした場合、半径１ｍ程度のエリア内にいるワンセグ放送対応の携帯機器のユーザしか対象にならないため、サービスエリアを拡張させる必要がある。
【００２８】
図３は、ワンセグ送信機１と同様の機能を有する無線局を複数配置した例を示す図である。
【００２９】
図３に示すように無線局を複数配置することによってサービスエリアを拡張することが考えられるが、現実には、それぞれの無線局の送信タイミングの同期を確保しないと、無線局が出力する電波を正常に受信できる範囲が狭くなる。
【００３０】
すなわち、単純に複数の無線局を配置してもサービスエリアの拡張の効果は限定的なものとなり、逆に、エリアの境界付近では電波の受信が難しくなる。
【００３１】
図３の例においては、ワンセグ送信機１−１乃至１−３によって、それぞれ、半径１ｍ程度のエリアであるエリアＡ1乃至Ａ3が形成されている。一点鎖線で示す、エリアＡ1とエリアＡ2の境界付近、エリアＡ2とエリアＡ3の境界付近では、電波干渉が生じるため無線局からの情報を正常に受信、復調できなくなる。
【００３２】
本発明を適用した情報配信システムにおいては、このような無線局を使って、数メートルから数十メートル以下の区域を対象にした、放送、情報サービスを容易に実現することができるようになされている。
【００３３】
［情報配信システムの構成］
図４は、本発明の一実施形態に係る情報配信システムの構成例を示す図である。
【００３４】
図４に示すように、この情報配信システムは、コンテンツ管理装置１１、送信装置１２、中継装置２１−１および２１−２から構成される。中継装置２１−１と２１−２の２つの装置が中継装置として示されているが、中継装置の数は任意である。
【００３５】
コンテンツ管理装置１１は、例えば所定のフォーマットの動画コンテンツを記憶し、記憶しているコンテンツを送信装置１２に転送する。コンテンツ管理装置１１から送信装置１２に対するコンテンツの転送は、同軸ケーブルなどの有線を介して行われるようにしてもよいし、無線を介して行われるようにしてもよい。
【００３６】
また、記憶されているコンテンツが転送されるのではなく、インターネットなどのネットワークを介して取得されたコンテンツがコンテンツ管理装置１１から転送されるようにしてもよい。
【００３７】
送信装置１２は、有線または無線による高周波信号の入力部を有しており、その入力部において、コンテンツ管理装置１１から転送されてきたコンテンツを受信する。コンテンツの転送が無線を介して行われる場合、３２２MHzを超えるUHF帯の周波数の電波を用いるようにしてもよいし、３２２MHz以下の周波数の電波を用いるようにしてもよい。
【００３８】
送信装置１２は、３２２MHz以下の周波数fV1の微弱電波を送信する機能を有する微弱無線局である。
【００３９】
また、送信装置１２は、送信装置１２の位置から３メートル離れた位置における電界強度が常に５００μV/m以下となるように電波の出力レベルを調整する機能を有している。送信装置１２が出力する電波は３２２MHz以下の電波であるから、図２を参照して説明したように３メートル離れた位置における電界強度が５００μV/m以下である場合には、装置の設置に際して免許が不要になる。
【００４０】
図４において破線で示すエリアＡ11は、送信装置１２が送信する微弱電波の到達範囲である。エリアＡ11は、半径約５〜１０メートル程度のエリアになる。
【００４１】
送信装置１２は、そのような周波数fV1の微弱電波を使って、コンテンツ管理装置１１から転送されてきたコンテンツを送信する。送信装置１２は、内部発振器やシンセサイザを制御することによって微弱電波の周波数を適宜変え、コンテンツを送信する。
【００４２】
中継装置２１−１と２１−２は、それぞれ、送信装置１２からの微弱電波の到達範囲であるエリアＡ11内の異なる位置に設置される。
【００４３】
中継装置２１−１と２１−２は、送信装置１２が送信する周波数fV1の微弱電波を受信する機能と、３２２MHzを超えるUHF帯の周波数fU1の微弱電波を送信する機能と、３メートル離れた位置における電界強度が常に３５μV/m以下となるように電波の出力レベルを調整する機能とを有する。
【００４４】
中継装置２１−１と２１−２が出力する微弱電波の周波数である周波数fU1は、ワンセグ放送で使われる４７０〜７１０MHzの帯域の周波数である。
【００４５】
中継装置２１−１と２１−２が出力する電波は３２２MHzを超える、４７０〜７１０MHzの帯域の電波であるから、図２を参照して説明したように３メートル離れた位置における電界強度が３５μV/m以下である場合には、装置の設置に際して免許が不要になる。
【００４６】
図４において実線で示すエリアＡ12は、中継装置２１−１が送信する微弱電波の到達範囲、すなわち、中継装置２１−１がカバーするサービスエリアである。また、エリアＡ13は、中継装置２１−２が送信する微弱電波の到達範囲、すなわち、中継装置２１−２がカバーするサービスエリアである。中継装置２１−１，２１−２が送信する微弱電波を安定して受信することができる範囲は、上述したように半径約１メートルの範囲になる。
【００４７】
中継装置２１−１と２１−２は、送信装置１２からの微弱電波を受信することによって取得したコンテンツを、そのような周波数fU1の微弱電波を使って送信する。中継装置２１−１と２１−２においては、３２２MHz以下の微弱電波を使って送信されてきたコンテンツが、３２２MHzを超える微弱電波を使って再送信されることになる。中継装置２１−１と２１−２は、内部発振器やシンセサイザを制御することによって電波の周波数を適宜変え、コンテンツを送信する。
【００４８】
中継装置２１−１と２１−２が出力する微弱電波は、上述したように、ワンセグ放送で使われる４７０〜７１０MHzの帯域の周波数の電波である。
【００４９】
従って、ワンセグ放送に対応した携帯機器をエリアＡ12内に置くことによって、その携帯機器のユーザは、中継装置２１−１が再送信するコンテンツを携帯機器のディスプレイに表示させ、視聴することができる。同様に、ワンセグ放送に対応した携帯機器をエリアＡ13内に置くことによって、その携帯機器のユーザは、中継装置２１−２が再送信するコンテンツを携帯機器のディスプレイに表示させ、視聴することができる。
【００５０】
このように、図４の情報配信システムにおいては、送信装置１２から直接コンテンツが提供されるのではなく、送信装置１２からの微弱電波を受信した中継装置２１−１，２１−２を中継してコンテンツが提供される。
【００５１】
３２２MHz以下の電波を受信する機能を搭載した携帯機器は少ないが、４７０〜７１０MHzの帯域の電波を受信する機能を搭載した携帯機器はワンセグ放送対応の携帯機器として一般に普及しているから、多くのユーザを対象として、サービスを提供することが可能になる。
【００５２】
また、コンテンツの提供元としてはコンテンツ管理装置１１を１つだけ用意すれば済み、中継装置２１−１用のものと中継装置２１−２用のものといったように、コンテンツの提供元になる装置をそれぞれ用意する必要がない。
【００５３】
送信装置１２が使う電波も中継装置２１−１，２１−２が使う電波もそれぞれ免許が必要ない微弱電波であるから、サービスを提供する側としても、多様なニーズに応じたサービスを容易に実現することができる。
【００５４】
図４に示す情報配信システムは、飲食店などの店舗内に構築される。イメージとしては、店舗の中央付近に少なくとも送信装置１２が設置され、店舗内の各テーブルに、中継装置が設置されることになる。中継装置を設置するだけであるため、送信装置１２が送信する微弱電波の到達範囲であるエリアＡ11内に、必要に応じて、コンテンツを視聴することができるサービスエリアを容易に構築することが可能になる。
【００５５】
飲食店以外にも、店舗内の商品の展示コーナー毎、映画館内や列車内の座席毎、美術館や博物館の展示物の展示コーナー毎といったように、狭い範囲を対象としたサービスエリアを必要に応じて構築することが可能である。また、そのような視聴エリアを多く設けることによって、そのような店舗、映画館などのフロア全体にサービスエリアを構築することも可能である。
【００５６】
以上においては、コンテンツ管理装置１１と送信装置１２がそれぞれ別の装置として用意されるものとしたが、コンテンツ管理装置１１と送信装置１２が１つの装置によって実現されるようにしてもよい。
【００５７】
また、以上においては配信されるコンテンツが動画コンテンツであるものとしたが、最終的にワンセグ放送で使われる電波と同じ周波数の電波を使って中継装置から送信することができるコンテンツであれば、静止画、音楽、ゲーム、テキストなどの他のコンテンツであってもよい。
【００５８】
［各装置の構成］
図５は、図４の送信装置１２の構成例を示すブロック図である。
【００５９】
図５に示すように、送信装置１２は、高周波信号入力部３１、フィルタ部３２、ミキサ部３３、ローカル発振部３４、フィルタ部３５、出力レベル調整部３６、およびアンテナ３７から構成される。
【００６０】
高周波信号入力部３１は、コンテンツ管理装置１１から有線または無線を介して入力される高周波信号（コンテンツ）を受信し、かつ、送信装置内部での信号処理に必要な信号レベルに増幅し、フィルタ部３２に出力する。
【００６１】
フィルタ部３２は、高周波信号入力部３１から供給された高周波信号のうちの周波数fUの帯域の信号を通過させ、ミキサ部３３に出力する。コンテンツ管理装置１１から送信装置１２に対して無線によってコンテンツが入力される場合、フィルタ部３２によるフィルタリングが必要になる。
【００６２】
ミキサ部３３は、フィルタ部３２から供給された周波数fUの信号と、ローカル発振部３４から供給された周波数fLの信号に基づいて、それらの信号の和を表す信号fU＋fLと差を表す信号fU−fLを生成し、信号fU＋fLと信号fU−fLをフィルタ部３５に出力する。
【００６３】
ローカル発振部３４は、あらかじめ定められた複数の周波数の中から、発振周波数として用いる周波数を選択し、周波数fLの信号をミキサ部３３に出力する。ローカル発振部３４はシンセサイザや発振器により構成される。
【００６４】
フィルタ部３５は、ミキサ部３３から供給された信号fU＋fLと信号fU−fLのうち、信号fU＋fLを遮断し、信号fU−fLを通過させる。
【００６５】
出力レベル調整部３６は、３メートル離れた位置における電界強度が常に５００μV/m以下となるように出力レベルを調整し、フィルタ部３５から供給された信号fU−fLを伝送する、３２２MHz以下の周波数の微弱電波をアンテナ３７から出力する。図４の周波数fV1はfU−fLで表される。
【００６６】
図６は、図４の中継装置２１−１の構成例を示すブロック図である。中継装置２１−２も同様の構成を有している。
【００６７】
図６に示すように、中継装置２１−１は、アンテナ５１、高周波信号入力部５２、フィルタ部５３、ミキサ部５４、ローカル発振部５５、フィルタ部５６、出力レベル調整部５７、およびアンテナ５８から構成される。
【００６８】
高周波信号入力部５２は、送信装置１２からの微弱電波が受信されることによってアンテナ５１から供給された高周波信号（コンテンツ）を受信し、かつ、中継装置内部での信号処理に必要な信号レベルに増幅し、フィルタ部５３に出力する。
【００６９】
フィルタ部５３は、高周波信号入力部５２から供給された高周波信号のうちの周波数fV1の信号を通過させ、ミキサ部５４に出力する。
【００７０】
ミキサ部５４は、フィルタ部５３から供給された周波数fV1の信号と、ローカル発振部５５から供給された周波数fLの信号に基づいて、それらの信号の和を表す信号fV1＋fLと差を表す信号fV1−fLを生成し、信号fV1＋fLと信号fV1−fLをフィルタ部５６に出力する。
【００７１】
ローカル発振部５５は、あらかじめ定められた複数の周波数の中から、発振周波数として用いる周波数を選択し、周波数fLの信号をミキサ部５４に出力する。送信装置１２のローカル発振部３４が生成する周波数と同じ周波数の信号がローカル発振部５５により生成される。ローカル発振部５５はシンセサイザや発振器により構成される。
【００７２】
フィルタ部５６は、ミキサ部５４から供給された信号fV1＋fLと信号fV1−fLのうち、信号fV1−fLを遮断し、信号fV1＋fLを通過させる。
【００７３】
出力レベル調整部５７は、３メートル離れた位置における電界強度が常に３５μV/m以下となるように出力レベルを調整し、フィルタ部５６から供給された信号fV1＋fLを伝送する、４７０〜７１０MHzの帯域内の周波数の微弱電波をアンテナ５８から出力する。図４の周波数fU1はfV1＋fLで表される。
【００７４】
［変形例１］
図７は、情報配信システムの他の構成例を示す図である。
【００７５】
図７に示す構成のうち、図４に示す構成と同じ構成には同じ符号を付してある。重複する説明については適宜省略する。後述する図８、図９においても同様である。
【００７６】
図７の例においては、コンテンツの提供元の装置としてコンテンツ管理装置１１−１と１１−２が設けられている。コンテンツ管理装置１１−１と１１−２は、それぞれ内容の異なるコンテンツの信号を混合器６１に出力する。
【００７７】
混合器６１は、コンテンツ管理装置１１−１から供給された信号とコンテンツ管理装置１１−２から供給された信号を混合し、得られた信号を送信装置１２に出力する。
【００７８】
コンテンツ管理装置１１−１と混合器６１間、コンテンツ管理装置１１−２と混合器６１間、混合器６１と送信装置１２間は、それぞれ例えば有線のケーブルを介して接続される。
【００７９】
送信装置１２は、混合器６１から送信されてきた信号を受信し、コンテンツ管理装置１１−１が出力するコンテンツとコンテンツ管理装置１１−２が出力するコンテンツを取得する。
【００８０】
また、送信装置１２は、３２２MHz以下の周波数fV1の微弱電波を使って、コンテンツ管理装置１１−１が出力するコンテンツを送信し、周波数fV1とは異なる周波数である、３２２MHz以下の周波数fV2の微弱電波を使って、コンテンツ管理装置１１−２が出力するコンテンツを送信する。送信装置１２は、複数のコンテンツの信号を受信し、それぞれ異なる周波数の電波を使って送信する機能を有する。
【００８１】
中継装置２１−１と２１−２は、送信装置１２が送信する周波数fV1，fV2の微弱電波を受信する。
【００８２】
また、中継装置２１−１と２１−２は、４７０〜７１０MHzの帯域内の周波数fU1の微弱電波を使って、コンテンツ管理装置１１−１が出力するコンテンツを送信し、４７０〜７１０MHzの帯域内の、周波数fU1と異なる周波数である周波数fU2の微弱電波を使って、コンテンツ管理装置１１−２が出力するコンテンツを送信する。中継装置２１−１と２１−２は、周波数の異なる複数の電波を受信し、それぞれ異なる周波数の電波に変換して再送信する機能を有する。
【００８３】
ユーザは、例えば中継装置２１−１のサービスエリアであるエリアＡ12内にワンセグ放送に対応した携帯機器を置き、周波数fU1の微弱電波と周波数fU2の微弱電波のうちのいずれかのチャンネルを選択することによって、視聴するコンテンツを切り替えることができる。
【００８４】
［変形例２］
図８は、情報配信システムの他の構成例を示す図である。
【００８５】
図８の例においては、送信装置１２−１に対するコンテンツの提供元の装置としてコンテンツ管理装置１１−１が設けられ、送信装置１２−２に対するコンテンツの提供元の装置としてコンテンツ管理装置１１−２が設けられている。コンテンツ管理装置１１−１とコンテンツ管理装置１１−２は、それぞれ内容の異なるコンテンツを出力する。
【００８６】
コンテンツ管理装置１１−１と送信装置１２−１、コンテンツ管理装置１１−２と送信装置１２−２は、それぞれ一体となって、図８の破線矢印で示す軌跡に沿って例えば一定の速度で移動する。例えば、図８の破線矢印で示す軌跡に沿ってベルトが配設されており、そのベルトを台車を使って回転させることによって、ベルト上に置かれた装置が移動するようになされている。
【００８７】
送信装置１２−１は、３２２MHz以下の周波数fV1の微弱電波を使って、コンテンツ管理装置１１−１が出力するコンテンツを送信する。
【００８８】
送信装置１２−２も同様に、３２２MHz以下の周波数fV1の微弱電波を使って、コンテンツ管理装置１１−２が出力するコンテンツを送信する。
【００８９】
送信装置１２−１からの電波の到達範囲であるエリアＡ21内に図８に示すタイミングにおいて存在する中継装置２１−１は、送信装置１２−１が送信する周波数fV1の微弱電波を受信し、コンテンツを取得する。また、中継装置２１−１は、４７０〜７１０MHzの帯域内の周波数fU1の微弱電波を使ってコンテンツを再送信する。
【００９０】
また、送信装置１２−２からの電波の到達範囲であるエリアＡ22内に図８に示すタイミングにおいて存在する中継装置２１−２は、送信装置１２−２が送信する周波数fV1の微弱電波を受信し、コンテンツを取得する。また、中継装置２１−２は、４７０〜７１０MHzの帯域内の周波数fU1の微弱電波を使ってコンテンツを再送信する。
【００９１】
中継装置２１−１と２１−２の位置は固定である。また、中継装置２１−１と２１−２は、複数の送信装置からの電波を同時に受信することがないようにそれぞれ離れた位置に設置されている。
【００９２】
中継装置を基準に考えると周波数fV1の微弱電波によって送信されてくるコンテンツが送信装置の移動によって切り替わり、それに伴って、中継装置２１−１と２１−２が周波数fU1の微弱電波を使って送信するコンテンツも切り替わることになる。
【００９３】
ユーザは、例えば中継装置２１−１のサービスエリアであるエリアＡ31内にワンセグ放送に対応した携帯機器を置き、同じ周波数fU1の微弱電波の受信を続けることによって、複数のコンテンツを自動的に切り替えて視聴することができる。
【００９４】
［変形例３］
図９は、情報配信システムの他の構成例を示す図である。
【００９５】
図９の例においては、送信装置と中継装置の組を複数用いることによって、電車内や駅のホームなどのような距離の長い区間に所定の間隔でサービスエリアを構築することができるようになされている。
【００９６】
送信装置１２−１は、３２２MHz以下の周波数fV1の微弱電波を使って、コンテンツ管理装置１１が出力するコンテンツを送信する。
【００９７】
送信装置１２−１からの電波の到達範囲であるエリアＡ41内に設置されている中継装置２１−１は、送信装置１２−１が送信する周波数fV1の微弱電波を受信し、コンテンツを取得する。また、中継装置２１−１は、４７０〜７１０MHzの帯域内の周波数fU1の微弱電波を使ってコンテンツを再送信する。
【００９８】
中継装置２１−１のサービスエリアであるエリアＡ51内にワンセグ放送対応の携帯機器を持って入ることによって、ユーザはコンテンツを視聴することができる。
【００９９】
送信装置１２−２は、中継装置２１−１のサービスエリアであるエリアＡ51内に設置されている。送信装置１２−２は、中継装置２１−１が送信する周波数fU1の微弱電波を受信し、コンテンツを取得する。
【０１００】
また、送信装置１２−２は、送信装置１２−１が出力する周波数fV1とは異なる、３２２MHz以下の周波数fV2の微弱電波を使ってコンテンツを再送信する。
【０１０１】
すなわち、図９の例においては、送信装置１２−２は、３２２MHz以下の周波数fV2の微弱電波を出力するだけでなく、４７０〜７１０MHzの帯域内の周波数fU1の微弱電波を受信する機能も有する。
【０１０２】
送信装置１２−２からの電波の到達範囲であるエリアＡ42内に設置されている中継装置２１−２は、送信装置１２−２が送信する周波数fV2の微弱電波を受信し、コンテンツを取得する。また、中継装置２１−２は、４７０〜７１０MHzの帯域内の周波数fU1の微弱電波を使ってコンテンツを再送信する。
【０１０３】
中継装置２１−２のサービスエリアであるエリアＡ52内にワンセグ放送対応の携帯機器を持って入ることによって、ユーザはコンテンツを視聴することができる。
【０１０４】
送信装置１２−２と中継装置２１−２と同様の機能を有する装置の組が中継装置２１−２の先に続けてその順番で設置されることにより、コンテンツ管理装置１１が出力するコンテンツの視聴可能なエリアを、距離の長い区間に所定の間隔で構築することが可能になる。
【０１０５】
本発明の実施の形態は、上述した実施の形態に限定されるものではなく、本発明の要旨を逸脱しない範囲において種々の変更が可能である。
【図面の簡単な説明】
【０１０６】
【図１】電波の到達範囲について説明する図である。
【図２】電波の周波数と強度の関係を示す図である。
【図３】無線局を複数配置した例を示す図である。
【図４】本発明の一実施形態に係る情報配信システムの構成例を示す図である。
【図５】図４の送信装置の構成例を示すブロック図である。
【図６】図４の中継装置の構成例を示すブロック図である。
【図７】情報配信システムの他の構成例を示す図である。
【図８】情報配信システムの他の構成例を示す図である。
【図９】情報配信システムの他の構成例を示す図である。
【符号の説明】
【０１０７】
１１  コンテンツ管理装置，  １２  送信装置，  ２１−１，２１−２  中継装置
【図１】
2010093542.tif 000003
【図２】
2010093542.tif 000004
【図３】
2010093542.tif 000005
【図４】
2010093542.tif 000006
【図５】
2010093542.tif 000007
【図６】
2010093542.tif 000008
【図７】
2010093542.tif 000009
【図８】
2010093542.tif 000010
【図９】
2010093542.tif 000011